(57)【特許請求の範囲】
【請求項１】
外部機器とネットワークを介して接続され、前記外部機器と通信する通信部と、
前記通信部による通信を制御するとともに、画像形成装置を再起動するための再起動処理を実行する制御部と、を備え、
予め定められた再起動対象エラーが発生したとき、前記制御部は、前記外部機器との通信で使用するネットワークポートを無効化した状態で前記再起動処理を実行することを特徴とする画像形成装置。
【請求項２】
前記外部機器との通信で使用する前記ネットワークポートは複数存在し、
前記再起動対象エラーが発生したとき、前記制御部は、複数の前記ネットワークポートのうち１つを対象ネットワークポートとして選択し、前記対象ネットワークポートを無効化した状態で前記再起動処理を実行することを特徴とする請求項１に記載の画像形成装置。
【請求項３】
前記再起動処理を実行しても前記画像形成装置が正常に起動しなかったとき、前記制御部は、前記複数のネットワークポートのうち前記対象ネットワークポートとして選択していない未選択のネットワークポートを新たな前記対象ネットワークポートとして選択し、前記新たな対象ネットワークポートを無効化した状態で前記再起動処理を実行することを特徴とする請求項２に記載の画像形成装置。
【請求項４】
前記制御部は、前記未選択のネットワークポートが存在しなければ、前記再起動処理を実行しないことを特徴とする請求項３に記載の画像形成装置。
【請求項５】
前記再起動対象エラーが発生したとき、前記制御部は、前記画像形成装置を起動させるための処理を前回実行してからの印刷枚数が予め定められた閾値枚数未満であるか否かの判断を行い、前記印刷枚数が前記閾値枚数以上であれば、前記ネットワークポートを無効化せずに前記再起動処理を実行し、前記印刷枚数が前記閾値枚数未満であれば、前記ネットワークポートを無効化した状態で前記再起動処理を実行することを特徴とする請求項１〜４のいずれか１項に記載の画像形成装置。
【発明の詳細な説明】
【技術分野】
【０００１】
本発明は、外部機器と通信可能に接続される画像形成装置に関する。
【背景技術】
【０００２】
画像形成装置にハード的なエラーあるいはソフト的なエラーが発生すると、画像形成装置が正常に動作しなくなる。この場合、画像形成装置を再起動するための再起動処理を実行することにより、画像形成装置が正常状態に復帰する場合がある。しかし、ユーザーからすると、画像形成装置を再起動するための操作（画像形成装置の電源をオフ／オンする操作など）を行うのは煩わしい。
【０００３】
そこで、特許文献１のような画像形成装置が提案されている。特許文献１では、画像形成装置にエラー（故障）が発生し、当該発生したエラーが画像形成装置の再起動によって解消される可能性がある場合、再起動処理が自動的に実行される。これにより、画像形成装置を再起動するための操作を行わなくてもよくなる。
【先行技術文献】
【特許文献】
【０００４】
【特許文献１】特開２００５−２１９２４７号公報
【発明の概要】
【発明が解決しようとする課題】
【０００５】
画像形成装置には、ユーザー端末（画像形成装置のユーザーにより使用されるパーソナルコンピューター）やサーバーなど、種々の外部機器がネットワークを介して通信可能に接続される。画像形成装置に外部機器が通信可能に接続される場合、外部機器との通信に起因するエラーが発生する場合がある。たとえば、外部機器から画像形成装置に対して不正アクセスが行われるなどすると、画像形成装置にエラーが発生する。
【０００６】
画像形成装置と外部機器との通信に起因するエラーが発生したとき、特許文献１のように再起動処理を自動的に実行しても、画像形成装置と外部機器との通信が可能な状態となっていれば、外部機器から画像形成装置に対してアクセスすることができるので、画像形成装置が正常に起動しない場合がある。この場合には、画像形成装置を使用することができず、その結果、保守点検サービスを行うサービス提供者に問い合わせるなどの対策をとらなければならない。したがって、ユーザーにとっては煩わしく利便性が悪い。
【０００７】
本発明は、上記課題を解決するため、再起動処理を実行しても画像形成装置が正常に起動しないという不都合が発生するのを抑制することが可能な画像形成装置を提供することを目的とする。
【課題を解決するための手段】
【０００８】
上記目的を達成するために、本発明の画像形成装置は、外部機器とネットワークを介して接続され、外部機器と通信する通信部と、通信部による通信を制御するとともに、画像形成装置を再起動するための再起動処理を実行する制御部と、を備える。そして、予め定められた再起動対象エラーが発生したとき、制御部は、外部機器との通信で使用するネットワークポートを無効化した状態で再起動処理を実行する。
【０００９】
本発明の構成では、画像形成装置に再起動対象エラー（画像形成装置を再起動することによって解消される可能性があるエラー）が発生した場合、外部機器との通信で使用するネットワークポートを無効化した状態（ネットワークポートを閉じた状態）で再起動処理を実行する。すなわち、再起動処理の実行時に外部機器から画像形成装置に対してアクセスできないようにする。これにより、再起動処理の実行時に外部機器との通信に起因するエラーが発生して画像形成装置が正常に起動しない、という不都合が生じるのを抑制することができる。
【発明の効果】
【００１０】
本発明の構成では、再起動処理を実行しても画像形成装置が正常に起動しないという不都合が発生するのを抑制することができる。
【図面の簡単な説明】
【００１１】
【図１】本発明の一実施形態による複合機の構成を示す図
【図２】本発明の一実施形態による複合機のハードウェア構成を示す図
【図３】本発明の一実施形態による複合機に記憶されるソフトウェアについて説明するための図
【図４】本発明の一実施形態による複合機に表示される設定画面を示す図
【図５】本発明の一実施形態による複合機に表示される設定画面（無効化したネットワークポートを示す情報を含む画面）を示す図
【図６】本発明の一実施形態による複合機にて実行される再起動処理の流れについて説明するためのフローチャート
【発明を実施するための形態】
【００１２】
本発明の一実施形態について、コピー機能など複数種の機能が搭載された複合機（画像形成装置）を例にとって説明する。
【００１３】
＜複合機の構成＞
図１に示すように、本実施形態の複合機１００は、画像読取部１および印刷部２を備える。画像読取部１は、原稿を読み取って原稿の画像データを生成する。印刷部２は、用紙搬送路２０に沿って用紙を搬送し、画像データに基づきトナー像を形成する。そして、印刷部２は、搬送中の用紙にトナー像を転写（印刷）する。
【００１４】
印刷部２は、給紙部３、用紙搬送部４、画像形成部５および定着部６によって構成される。給紙部３は、ピックアップローラー３１および給紙ローラー対３２を含み、用紙カセット３３に収容された用紙を用紙搬送路２０に供給する。用紙搬送部４は、複数の搬送ローラー対４１を含み、用紙搬送路２０に沿って用紙を搬送する。
【００１５】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成して用紙に転写する。定着部６は、加熱ローラー６１および加圧ローラー６２を含み、用紙に転写されたトナー像を加熱および加圧して定着させる。
【００１６】
また、複合機１００には、操作パネル７が備えられる。操作パネル７は、タッチパネルディスプレイ７１を含む。タッチパネルディスプレイ７１は、たとえば、各種設定を受け付けるためのソフトウェアキーなどを表示し、各種設定をユーザーから受け付ける（ソフトウェアキーに対するタッチ操作を受け付ける）。さらに、操作パネル７には、スタートキーやテンキーなどのハードウェアキー７２も設けられる。
【００１７】
＜複合機のハードウェア構成＞
図２に示すように、複合機１００は、制御部１１０を備える。制御部１１０は、ＣＰＵ１１１、ＲＯＭ１１２やＲＡＭ１１３などのメモリー（不揮発性メモリーと揮発性メモリー）およびＡＳＩＣ１１４を含む。
【００１８】
ＣＰＵ１１１は、制御用のプログラムやデータに基づき動作し、画像読取部１および印刷部２（給紙部３、用紙搬送部４、画像形成部５および定着部６）の動作を制御する。また、制御部１１０は、操作パネル７の動作を制御する。制御用のプログラムやデータは、ＲＯＭ１１２に記憶され、ＲＡＭ１１３に展開される。たとえば、ＲＯＭ１１２はフラッシュＲＯＭであり、ＲＡＭ１１３はダイナミックＲＡＭである。
【００１９】
ＡＳＩＣ１１４は、画像処理や通信処理など特定処理の一部または全部をハード的に実行する。たとえば、ＡＳＩＣ１１４は、画像読取部１および印刷部２と接続される。そして、ＡＳＩＣ１１４は、画像読取部１による原稿の読み取りが行われると、原稿の画像データを画像読取部１から受信し、その画像データに対して各種画像処理を行い、露光用の画像データ（露光装置５３の発光素子を点消灯させるためのデータ）に変換する。
【００２０】
また、複合機１００は、ＬＡＮなどのネットワークＮＷを介した通信を行うための通信部１２０を備える。ネットワークＮＷには、ユーザー端末（複合機１００のユーザーによって使用されるパーソナルコンピューター）やサーバーなど、種々の外部機器２００が接続される。そして、制御部１１０は、通信部１２０を介してネットワークＮＷにアクセスし、外部機器２００との間でネットワーク通信を行う（ネットワークＮＷを介してデータの送受信を行う）。ここで、通信部１２０が行う外部機器２００とのネットワーク通信で使用されるネットワークポート（論理的なポート）は複数存在しており、各ネットワークポート（ポート番号）の有効化／無効化の制御が制御部１１０によって行われる。すなわち、制御部１１０は、ネットワークポートを開いたり閉じたりする制御を行う。
【００２１】
＜複合機の起動処理（再起動処理）＞
図３に示すように、ＲＯＭ１１２には、ハードウェアの制御を行うためのソフトウェア１０００（ファームウェア）が格納される。このソフトウェア１０００は、オペレーティングシステム（ＯＳ）１１００を含む。また、ソフトウェア１０００は、画像処理や通信処理など種々の処理を実行するためのアプリケーション１２００を含む。そして、制御部１１０（ＣＰＵ１１１）は、複合機１００の起動処理として、ソフトウェア１０００をＲＡＭ１１３に読み出して立ち上げる処理（ブート処理）を実行する。
【００２２】
具体的には、複合機１００に電源が投入されると、制御部１１０は、ＲＯＭ１１２に格納されたブートプログラムに従ってカーネル（ＯＳ１１００の中核となる部分）をＲＡＭ１１３に読み出し、ＯＳ１１００を起動する。続いて、制御部１１０は、アプリケーション１２００をＲＡＭ１１３に読み出して展開する。
【００２３】
また、ソフトウェア１０００が立ち上がると、制御部１１０は、複合機１００の起動処理として、複合機１００の各部（画像読取部１や印刷部２、通信部１２０など）の調整を行う。たとえば、画像形成部５の電圧調整や光量調整、定着部６の温度調整などが起動処理として行われる。さらに、通信部１２０に接続される外部機器２００との間の通信を確立する処理なども行われる。
【００２４】
その後、制御部１１０は、起動処理が正常に完了したか否かを判断する。この判断の結果、起動処理が正常に完了した場合、制御部１１０は、複合機１００をレディ状態（コピージョブなど各種ジョブの実行指示を待ち受ける状態）に移行させる。このとき、制御部１１０は、図４に示すような設定画面７００を初期画面（ホーム画面）として操作パネル７に表示させる。たとえば、設定画面７００には、複合機１００がレディ状態に移行したことを示すメッセージＭＳ１（図４に示す設定画面７００では、「コピー出来ます」というメッセージ）が配される。なお、図４では、一例として、コピージョブの設定画面７００を初期画面として表示する例を図示するが、初期画面として表示する画面は特に限定されない。
【００２５】
ここで、制御部１１０は、起動処理の実行中に、予め定められた再起動対象エラー（故障）が発生したか否かを判断する。そして、再起動対象エラーの発生によって起動処理が正常に完了しなかった場合、制御部１１０は、再起動処理（リブート処理）を自動的に実行する。さらに、起動処理が正常に完了して以降（複合機１００がレディ状態になって以降）、再起動対象エラーが発生した場合にも、制御部１１０は、再起動処理を自動的に実行する。
【００２６】
たとえば、再起動処理の実行によって複合機１００が正常状態に復帰する可能性があるエラーが再起動対象エラーとして予め定められ、再起動対象エラーを示す情報が予め記憶される。一例として、外部機器２００との通信に起因するエラー（たとえば、外部機器２００から不正アクセスを受けたり、外部機器２００から規格外のデータを受信したりしたことによって発生するエラーなど）が再起動対象エラーとされる。
【００２７】
このような再起動対象エラーが発生すると、制御部１１０は、複合機１００を再起動させるため、ソフトウェア１０００を終了させる。そして、制御部１１０は、再起動処理を実行する。
【００２８】
＜第１再起動処理および第２再起動処理＞
本実施形態では、再起動対象エラーが発生すると、第１再起動処理および第２再起動処理のうちいずれかが実行される。第１再起動処理では、通常の再起動処理が実行される。第２再起動処理では、外部機器２００とのネットワーク通信で使用するネットワークポートを無効化した状態で再起動処理が実行される。
【００２９】
第１再起動処理および第２再起動処理のうちいずれを実行するかは制御部１１０により選択される。たとえば、制御部１１０は、再起動処理の実行に際して、複合機１００を起動させるための処理を前回実行してからの印刷枚数（単に印刷枚数と称する場合がある）を判別する。なお、当該印刷枚数は制御部１１０によってカウントされ、選択基準情報（第１再起動処理および第２再起動処理のうちいずれを実行するかを選択するときに基準となる情報）としてＲＯＭ１１２に記憶される。
【００３０】
そして、制御部１１０は、再起動対象エラーの発生を検知すると、選択基準情報で示される印刷枚数を確認する。その結果、印刷枚数が予め定められた閾値枚数以上であれば、制御部１１０は、第１再起動処理を実行し、印刷枚数が閾値枚数未満であれば、制御部１１０は、第２再起動処理を実行する。たとえば、閾値枚数は１枚である。なお、閾値枚数の設定値は変更可能であってもよい。
【００３１】
一例として、複合機１００が正常に起動して以降、印刷枚数が閾値枚数に達してから、再起動対象エラーが発生したとする。この場合、選択基準情報で示される印刷枚数は閾値枚数以上となる。したがって、制御部１１０は、第１再起動処理および第２再起動処理のうち第１再起動処理を選択する（ネットワークポートの無効化は行わない）。
【００３２】
別の例として、複合機１００を起動させるための処理（起動処理あるいは再起動処理）の実行中に、再起動対象エラーが発生したとする。この場合、複合機１００に発生したエラーが再起動対象エラーであるので、制御部１１０は再起動処理を実行する。ここで、今回の再起動処理は前回の起動処理あるいは再起動処理の実行中にエラーが発生したことを受けて実行されるので、選択基準情報で示される印刷枚数は閾値枚数未満となる（複合機１００を起動させるための処理を前回実行してからの印刷枚数が０枚である）。したがって、制御部１１０は、第１再起動処理および第２再起動処理のうち第２再起動処理を選択する（ネットワークポートの無効化を行う）。すなわち、起動処理あるいは再起動処理を実行しても複合機１００が正常に起動しなかった場合に、第２再起動処理が実行される。
【００３３】
たとえば、制御部１１０は、第２再起動処理を実行する場合、複数のネットワークポートのうち１つを対象ネットワークポートとして選択し、対象ネットワークポートを無効化する（対象ネットワークポートを閉じる）。そして、制御部１１０は、対象ネットワークポートを無効化した状態で再起動処理を実行する。なお、複数のネットワークポートを全て無効化した状態（外部機器２００との通信を完全に遮断した状態）で再起動処理を実行してもよい。
【００３４】
その後、第２再起動処理を実行しても、複合機１００が正常に起動しなかったとき、制御部１１０は、複数のネットワークポートのうち対象ネットワークポートとして選択していない未選択のネットワークポートを新たな対象ネットワークポートとして選択する。そして、制御部１１０は、新たな対象ネットワークポートを無効化した状態で再起動処理を実行する。このとき、制御部１１０は、前回の再起動処理の実行時に無効化したネットワークポートを有効化する（ネットワークポートを開く）。すなわち、再起動処理の実行時に無効化されるネットワークポートは１つである。
【００３５】
それ以降、複合機１００が正常に起動しなければ、対象ネットワークポートが新たに選択され、第２再起動処理が繰り返される。ただし、第２再起動処理を実行しても、複合機１００が正常に起動しなかったとき、未選択のネットワークポートが存在しなければ、その時点で再起動処理は終了する。たとえば、制御部１１０は、対象ネットワークポートとして選択したネットワークポートに関する情報（ポート番号などを示す情報）をＲＯＭ１１２に記憶させる。そして、制御部１１０は、ＲＯＭ１１２に記憶されたネットワークポートに関する情報に基づき、未選択のネットワークポートを判別する。
【００３６】
第２再起動処理の実行によって複合機１００が正常に起動した場合、制御部１１０は、複合機１００をレディ状態に移行させる。すなわち、制御部１１０は、図４に示したような設定画面７００を操作パネル７に表示させる。ただし、このときには、複数のネットワークポートのうち１つが無効化されている。したがって、たとえば、図５に示すように、無効化したネットワークポート（ポート番号）を報知するためのメッセージＭＳ２が設定画面７００の画面内に表示されてもよい。
【００３７】
以下に、図６に示すフローチャートを参照し、再起動処理の流れについて説明する。なお、図６に示すフローチャートのスタートは、起動処理あるいは再起動処理が開始されたときである。
【００３８】
ステップＳ１において、制御部１１０は、起動処理（再起動処理を含む）の実行状況を監視する。そして、ステップＳ２において、制御部１１０は、再起動対象エラー（再起動処理の実行によって複合機１００が正常状態に復帰する可能性があるエラー）が発生したか否かを判断する。言い換えると、制御部１１０は、複合機１００が正常に起動したか否かを判断する。
【００３９】
ステップＳ２において、再起動対象エラーが発生しなかった（複合機１００が正常に起動した）と制御部１１０が判断した場合には、ステップＳ３に移行する。ステップＳ３に移行すると、制御部１１０は、複合機１００をレディ状態に移行させる。
【００４０】
ステップＳ２において、再起動対象エラーが発生した（複合機１００が正常に起動しなかった）と制御部１１０が判断した場合には、ステップＳ４に移行する。ステップＳ４に移行すると、制御部１１０は、選択基準情報で示される印刷枚数（複合機１００を起動させるための処理を前回実行してからの印刷枚数）を確認する。その後、ステップＳ５において、制御部１１０は、印刷枚数が閾値枚数以上であるか否かを判断する。
【００４１】
ステップＳ５において、印刷枚数が閾値枚数以上であると制御部１１０が判断した場合には、ステップＳ６に移行する。ステップＳ６に移行すると、制御部１１０は、ネットワークポートを無効化せずに再起動処理（リブート処理）を開始する。すなわち、制御部１１０は、第１再起動処理を実行する。
【００４２】
ステップＳ５において、印刷枚数が閾値枚数未満であると制御部１１０が判断した場合には、ステップＳ７に移行する。ステップＳ７に移行すると、制御部１１０は、複数のネットワークポートのうち対象ネットワークポートとして選択していない未選択のネットワークポートが存在するか否かを判断する。その結果、未選択のネットワークポートが存在すれば、ステップＳ８に移行する。
【００４３】
ステップＳ８に移行すると、制御部１１０は、複数のネットワークポートのうち未選択のネットワークポートの１つを対象ネットワークポートとして選択し、対象ネットワークポートを無効化する（対象ネットワークポートを閉じる）。そして、ステップＳ６に移行する。この場合には、対象ネットワークポートが無効化された状態で再起動処理が開始されることになる。すなわち、第２再起動処理が実行される。
【００４４】
再起動処理が開始されると、ステップＳ１に戻る。すなわち、再起動処理を開始して以降、再起動処理の実行状況の監視が制御部１１０によって行わる。そして、再起動対象エラーが発生することなく複合機１００が起動した場合には、ステップＳ２からステップＳ３に移行する。
【００４５】
一方で、再起動対象エラーが発生したことによって複合機１００が正常に起動しなかった場合には、ステップＳ２からステップＳ４に移行し、選択基準情報で示される印刷枚数の確認が制御部１１０によって行われる。そして、ステップＳ５において、制御部１１０は、印刷枚数が閾値枚数以上であるか否かを判断する。このとき、前回の再起動処理では複合機１００が正常に起動しなかったので、印刷枚数が閾値枚数未満であると制御部１１０が判断することになる（ステップＳ７に移行する）。したがって、複合機１００の再起動処理が複数回連続して繰り返される場合、２回目以降に実行される再起動処理は第２再起動処理となる（第１再起動処理が繰り返されることはない）。
【００４６】
ここで、ステップＳ７において、未選択のネットワークポートが存在しないと制御部１１０が判断した場合には、本フローは終了する（再起動処理が終了する）。すなわち、第２再起動処理は未選択のネットワークポートが存在する場合にのみ実行される。したがって、再起動処理が際限なく繰り返されることはない。
【００４７】
本実施形態の複合機１００（画像形成装置）は、上記のように、外部機器２００とネットワークＮＷを介して接続され、外部機器２００と通信する通信部１２０と、通信部１２０による通信を制御するとともに、複合機１００を再起動するための再起動処理を実行する制御部１１０と、を備える。そして、再起動対象エラーが発生したとき、制御部１１０は、外部機器２００との通信で使用するネットワークポートを無効化した状態で再起動処理を実行する。
【００４８】
本実施形態の構成では、再起動対象エラーが発生した場合、外部機器２００との通信で使用するネットワークポートを無効化した状態（ネットワークポートを閉じた状態）で再起動処理を実行する。すなわち、再起動処理の実行時に外部機器２００から複合機１００に対してアクセスできないようにする。これにより、再起動処理の実行時に外部機器２００との通信に起因するエラーが発生して複合機１００が正常に起動しない、という不都合が生じるのを抑制することができる。
【００４９】
また、本実施形態では、上記のように、外部機器２００との通信で使用するネットワークポートは複数存在する。この場合には、複数のネットワークポートのうち１つを無効化した状態で再起動処理を実行すれば（複数のネットワークポートの全てを無効化しなくても）、複合機１００が正常に起動する場合がある。そこで、制御部１１０は、再起動処理を実行するとき、複数のネットワークポートのうち１つを対象ネットワークポートとして選択し、当該選択した１つの対象ネットワークのみを無効化する。これにより、再起動処理の実行によって複合機１００が正常に起動した場合には、複数のネットワークポートのうち、無効化したネットワークポート（対象ネットワークポートとして選択したネットワークポート）を使用することはできないが、残りのネットワークポートは使用することができるようになる。
【００５０】
ところで、或るネットワークポートを無効化して再起動処理を実行したにもかかわらず複合機１００が正常に起動しなかったとしても、別のネットワークポートを無効化して再起動処理を実行すれば複合機１００が正常に起動する場合がある。
【００５１】
そこで、本実施形態では、上記のように、再起動処理を繰り返し実行するとき（前回実行した再起動処理では複合機１００が正常に起動しなかったとき）、制御部１１０は、複数のネットワークポートのうち対象ネットワークポートとして選択していない未選択のネットワークポートを新たな対象ネットワークポートとして選択し、新たな対象ネットワークポートを無効化する。ただし、未選択のネットワークポートが存在しなければ、制御部１１０は、再起動処理を実行しない。これにより、再起動処理が際限なく繰り返されるのを抑制することができる。
【００５２】
また、本実施形態では、上記のように、再起動対象エラーが発生したとき、制御部１１０は、複合機１００を起動させるための処理を前回実行してからの印刷枚数が閾値枚数未満であるか否かを判断し、印刷枚数が閾値枚数以上であれば、ネットワークポートを無効化せずに再起動処理（第１再起動処理）を実行する一方、印刷枚数が閾値枚数未満であれば、ネットワークポートを無効化した状態で再起動処理（第２再起動処理）を実行する。これにより、複合機１００が正常に起動して以降、印刷枚数が閾値枚数に達してから、再起動対象エラーが発生したときには、第１再起動処理が最初に実行されることになる。そして、この第１再起動処理の実行によって複合機１００が正常に起動した場合には、複数のネットワークポートの全てを使用することができる。
【００５３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５４】
１００  複合機（画像形成装置）
１１０  制御部
１２０  通信部
２００  外部機器
ＮＷ  ネットワーク
【図１】
0006436129.tif 000002
【図２】
0006436129.tif 000003
【図３】
0006436129.tif 000004
【図４】
0006436129.tif 000005
【図５】
0006436129.tif 000006
【図６】
0006436129.tif 000007